(57)【要約】【課題】ユーザが手動で焦点調節をしている場合であっても、停止状態が設定されることによる操作性の低下を防ぐ。【解決手段】カメラは、撮影レンズＬ１、Ｌ２、Ｌ３、Ｌ４を介して画像記録媒体の結像面に形成された被写体像の焦点調節状態を検出する焦点検出手段１０６と、撮影レンズＬ１、Ｌ２、Ｌ３、Ｌ４の合焦用レンズ２００ａを操作部材２０７で操作して被写体像の焦点調節状態を調節する焦点調節手段１１２と、操作部材２０７から出力される操作信号を入力する入力手段１０８と、焦点検出手段１０６で検出された焦点調節状態に基づく合焦状況を表す表示形態を所定時間にわたって表示する表示器１１４と、操作信号の入力により所定時間を延長する制御手段１１２とを備える。【選択図】図３
2009122593.tif 000002
【特許請求の範囲】
【請求項１】
撮影レンズを介して画像記録媒体の結像面に形成された被写体像の焦点調節状態を検出する焦点検出手段と、
前記撮影レンズの合焦用レンズを操作部材で操作して前記被写体像の焦点調節状態を調節する焦点調節手段と、
前記操作部材から出力される操作信号を入力する入力手段と、
前記焦点検出手段で検出された前記焦点調節状態に基づく合焦状況を表す表示形態を所定時間にわたって表示する表示器と、
前記操作信号の入力により前記所定時間を延長する制御手段とを備えることを特徴とするカメラ。
【請求項２】
請求項1に記載のカメラにおいて、
前記合焦状況は、前記被写体像の結像位置と前記結像面との差が所定値未満であることを示す表示形態であり、
前記被写体像の結像位置と前記結像面との差が所定値以上であれば、前記制御手段による前記所定時間の延長を禁止する禁止手段をさらに備えることを特徴とするカメラ。
【請求項３】
請求項２に記載のカメラにおいて、
前記禁止手段は、被写体像の結像位置と前記結像面とのずれの方向と、前記操作部材から出力される操作信号による焦点調節方向とが合致しない場合も、前記制御手段による前記所定時間の延長を禁止することを特徴とするカメラ。
【請求項４】
請求項1に記載のカメラにおいて、
前記合焦状況は、前記被写体像の結像位置と前記結像面との差が所定値未満であることを示す表示形態であり、
前記被写体像の結像位置と前記結像面とのずれの方向と、前記操作部材から出力される操作信号による焦点調節方向とが合致しない場合、前記制御手段による前記所定時間の延長を禁止する禁止手段をさらに備えることを特徴とするカメラ。
【請求項５】
請求項１に記載のカメラにおいて、
前記撮影レンズからレンズ情報を取得するレンズ情報取得手段と、
前記レンズ情報取得手段により前記レンズ情報が取得できるか否かを判定する通信判定手段と、
前記レンズ情報に基づいて、前記操作信号が有効であるか否かを判定する有効判定手段と、
前記通信判定手段の判定結果と前記有効判定手段の判定結果とに基づいて、前記所定時間を変更する所定時間変更手段とをさらに備えることを特徴とするカメラ。
【請求項６】
請求項５に記載のカメラにおいて、
前記レンズ情報が取得できること、および前記操作信号が有効と判定された場合に、前記所定時間変更手段は、前記所定時間を第１の値に変更し、前記レンズ情報が取得できること、および前記操作信号の有効のいずれか一方が判定された場合には、前記所定時間変更手段は、前記所定時間を第２の値に変更することを特徴とするカメラ。
【請求項７】
請求項６に記載のカメラにおいて、
前記レンズ情報が取得できること、および前記操作信号が有効と判定された場合に、前記焦点調節手段により前記焦点状態を調節するとき、前記所定時間変更手段は、前記所定時間を第１の値に変更し、前記焦点調節手段により前記焦点状態を調節しないときは、前記所定時間変更手段は、前記所定時間を第２の値に変更することを特徴とするカメラ。
【請求項８】
請求項６または７に記載のカメラにおいて、
前記第１の値は前記第２の値よりも短いことを特徴とするカメラ。
【発明の詳細な説明】
【技術分野】
【０００１】
本発明は、被写体像の合焦状況を表示可能なカメラに関する。
【背景技術】
【０００２】
従来から、電池の消耗を防ぐためにカメラ本体の制御回路を停止状態に設定するカメラが知られている（たとえば特許文献１）。
【特許文献１】特開平８−４３８７５号公報
【発明の開示】
【発明が解決しようとする課題】
【０００３】
しかしながら、ユーザが手動で焦点調節をしている場合に制御回路が停止状態に陥ると、測距結果を得られなくなるとともに、停止している制御回路の復帰操作が必要となり、操作性を低下させるという問題がある。
【課題を解決するための手段】
【０００４】
請求項１に記載の発明によるカメラは、撮影レンズを介して画像記録媒体の結像面に形成された被写体像の焦点調節状態を検出する焦点検出手段と、撮影レンズの合焦用レンズを操作部材で操作して被写体像の焦点調節状態を調節する焦点調節手段と、操作部材から出力される操作信号を入力する入力手段と、焦点検出手段で検出された焦点調節状態に基づく合焦状況を表す表示形態を所定時間にわたって表示する表示器と、操作信号の入力により所定時間を延長する制御手段とを備えることを特徴とする。
請求項２に記載の発明は、請求項1に記載のカメラにおいて、合焦状況は、被写体像の結像位置と結像面との差が所定値未満であることを示す表示形態であり、被写体像の結像位置と結像面との差が所定値以上であれば、制御手段による所定時間の延長を禁止する禁止手段をさらに備えることを特徴とする。
請求項３に記載の発明は、請求項２に記載のカメラにおいて、禁止手段は、被写体像の結像位置と結像面とのずれの方向と、操作部材から出力される操作信号による焦点調節方向とが合致しない場合も、制御手段による所定時間の延長を禁止することを特徴とする。
請求項４に記載の発明は、請求項1に記載のカメラにおいて、合焦状況は、被写体像の結像位置と結像面との差が所定値未満であることを示す表示形態であり、被写体像の結像位置と結像面とのずれの方向と、操作部材から出力される操作信号による焦点調節方向とが合致しない場合、制御手段による所定時間の延長を禁止する禁止手段をさらに備えることを特徴とする。
請求項５に記載の発明は、請求項１に記載のカメラにおいて、撮影レンズからレンズ情報を取得するレンズ情報取得手段と、レンズ情報取得手段によりレンズ情報が取得できるか否かを判定する通信判定手段と、レンズ情報に基づいて、操作信号が有効であるか否かを判定する有効判定手段と、通信判定手段の判定結果と有効判定手段の判定結果とに基づいて、所定時間を変更する所定時間変更手段とをさらに備えることを特徴とする。
請求項６に記載の発明は、請求項５に記載のカメラにおいて、レンズ情報が取得できること、および操作信号が有効と判定された場合に、所定時間変更手段は、所定時間を第１の値に変更し、レンズ情報が取得できること、および操作信号の有効のいずれか一方が判定された場合には、所定時間変更手段は、所定時間を第２の値に変更することを特徴とする。
請求項７に記載の発明は、請求項６に記載のカメラにおいて、レンズ情報が取得できること、および操作信号が有効と判定された場合に、焦点調節手段により焦点状態を調節するとき、所定時間変更手段は、所定時間を第１の値に変更し、焦点調節手段により焦点状態を調節しないときは、所定時間変更手段は、所定時間を第２の値に変更することを特徴とする。
請求項８に記載の発明は、請求項６または７に記載のカメラにおいて、第１の値は第２の値よりも短いことを特徴とする。
【発明の効果】
【０００５】
本発明によれば、操作信号の入力により合焦状況の表示形態を表示するための所定時間を延長するので、ユーザが手動で焦点調節をしている際の操作性の低下を防ぐことができる。
【発明を実施するための最良の形態】
【０００６】
−第１の実施の形態−
図面を参照しながら、本発明の第１の実施の形態によるカメラについて説明する。図１のカメラの構成図に示すように、カメラ１のボディ１００には、以下で説明する撮影レンズを着脱可能に装着するためのマウント１０９が設けられている。
【０００７】
図２に、カメラ１のマウント１０９に装着可能な撮影レンズの構成を示す。この実施の形態のカメラ１には、たとえば図２（ａ）〜図２（ｄ）に示す４種類の撮影レンズＬ１〜Ｌ４を装着することができる。図２（ａ）に示す撮影レンズＬ１は、撮影光学系を構成する複数のレンズ群２００ａ〜２００ｂ、レンズ駆動機構２０１、距離エンコーダ２０３、ズームエンコーダ２０４、レンズ制御回路２０５、ボディ１００と通信するためのカメラ信号接点２０６、および距離環２０７を有する。図３にも示すように、レンズ制御回路２０５は、レンズ電源回路２０５ａ、レンズ駆動回路２０５ｂ、およびレンズマイコン２０５ｃを備える。また、カメラ信号接点２０６は、図３に示すように、接点２６０、２６１と、接点２６２、２６３、２６４を含む。
【０００８】
レンズ群２００ａは、合焦レンズを構成し、レンズ駆動機構２０１または後述するマニュアルフォーカスモードにおけるユーザによる距離環２０７の操作により、光軸方向へ移動する。このレンズ群２００ａの移動により焦点調節、すなわちピント合わせが行われる。距離エンコーダ２０３は、レンズ群２００ａの位置を距離情報として検出し、レンズ制御回路２０５へ出力する。
【０００９】
レンズ群２００ｂはズーム光学系を構成し、図示しないズーム環の操作により光軸方向に移動する。このレンズ群２００ｂの移動により撮影レンズの焦点距離が変化する。ズームエンコーダ２０４は、レンズ群２００ｂの位置を焦点距離情報として検出して、レンズ制御回路２０５へ出力する。
【００１０】
レンズ制御回路２０５は、上記の撮影レンズＬ１内の各部を制御するとともに、カメラ信号接点２０６を介して、カメラ１と各種情報の送受信を行う。
【００１１】
図２（ｂ）に示す撮影レンズＬ２は、撮影レンズＬ１からレンズ駆動機構２０１を省略したものである。合焦レンズを構成するレンズ群２００ａは、カメラ１がボディ１００の内部にレンズ駆動機構を備える場合はカメラ１側からの制御で光軸方向へ移動することができる。もしくは、距離環２０７をユーザが操作することによりレンズ群２００ａは光軸方向へ移動する。撮影レンズＬ２のレンズ制御回路２０５は、カメラ１へ距離情報と焦点距離情報を送信する。
【００１２】
図２（ｃ）に示す撮影レンズＬ３は、撮影レンズＬ１からレンズ駆動機構２０１と距離エンコーダ２０３とを省略したものである。撮影レンズＬ２の場合と同様に、レンズ群２００ａは、カメラ１がボディ１００の内部にレンズ駆動機構を備える場合はカメラ１側からの制御で光軸方向へ移動することができる。もしくは、距離環２０７をユーザが操作することによりレンズ群２００ａは光軸方向へ移動する。撮影レンズＬ３のレンズ制御回路２０５は、カメラ１へ焦点距離情報を送信する。
【００１３】
図２（ｄ）に示す撮影レンズＬ４は、撮影光学系を構成する複数のレンズ群２００ａ〜２００ｂおよび距離環２０７を有する。合焦レンズを構成するレンズ群２００ａは、距離環２０７をユーザが操作することにより光軸方向へ移動する。
【００１４】
図１および図３を参照してカメラ１をさらに説明する。カメラ１のボディ１００の内部には、クイックリターンミラー１０１、焦点板１０２、ペンタプリズム１０３、ファインダ覗き窓１０５、焦点検出用センサ１０６、撮像素子１０７、レンズ信号接点１０８、カメラ制御回路１１２、およびＬＣＤ１１４が設けられている。さらに、ボディ１００は、着脱可能な電源１１０と、電源１１０に接続された電源回路１１１とを有している。操作部１２１は、ユーザの操作を受け付けるスイッチである。操作部１２１には、電源スイッチ、レリーズスイッチなどが含まれる。また、操作部１２１の操作により、手動で焦点調節を行なうマニュアルフォーカスモード、もしくは焦点検出用センサ１０６による検出結果に基づいて焦点調節を自動で行なうオートフォーカスモードの切り替えが行われる。
【００１５】
図１を参照して説明すると、撮影レンズを通過してカメラ１に入射した被写体光は、シャッタレリーズ前は図１（ｂ）において実線で示すように位置するクイックリターンミラー１０１で上方へ導かれて焦点板１０２に結像する。被写体光はさらにペンタプリズム１０３へ入射される。ペンタプリズム１０３は、入射された被写体光をファインダ覗き窓１０５へ導く。
【００１６】
被写体光の一部はクイックリターンミラー１０１の半透過領域を透過し、サブミラー１１０１ａにて下方に反射され、焦点検出用センサ１０６へ入射される。焦点検出用センサ１０６は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。ＣＣＤラインセンサから出力される焦点検出信号はカメラ制御回路１１２に入力される。
【００１７】
レリーズ後はクイックリターンミラー１０１が図１（ｂ）の破線で示される位置へ回動し、被写体光が撮像素子１０７へ導かれ、その撮像面上に被写体像が結像する。撮像素子１０７は、受光した被写体光をその強度に応じた画像信号に変換するＣＣＤやＣＭＯＳなどの光電変換素子である。
【００１８】
図３、図４および図１１を参照して制御系について詳細に説明する。
カメラ制御回路１１２はカメラ制御マイコン１３０を備え、カメラ制御マイコン１３０の制御に基づいてカメラ１の各構成要素を制御したり、各種のデータ処理を実行する。カメラ制御回路１１２は、前述した焦点検出用センサ１０６から出力された焦点検出信号に基づいて、焦点調節状態を表すデフォーカス量（被写体像の結像位置と結像面との差を表す物理量）の演算を行い、デフォーカス量の絶対値が所定値以下のときの焦点調節状態を合焦として判定する。合焦判定時、カメラ制御回路１１２は、カメラ１の表示器であるＬＣＤ１１４に合焦状況を表示する。これが後述するフォーカスエイドマークＭＫの一つの表示形態である。また、カメラ制御回路１１２は、操作部１２１からの操作信号を入力しない時間を計測する。そして、所定の時間に達すると、カメラ制御回路１１２は、カメラ１を省電力状態に設定し、各部の動作を停止させることにより、無駄な電力の消耗を防ぐ。
【００１９】
図４に示すように、カメラ制御マイコン１３０は、制御処理をするＣＰＵ１３０ａ、撮影レンズＬ１と通信をするためのシリアルインタフェース１３０ｂ、後述するＬＣＤ駆動回路１１３と通信するためのシリアルインタフェース１３０ｃ、省電力状態へ移行するための時間を計測するタイマ１３０ｄ、ＲＯＭ１３０ｅ、およびＲＡＭ１３０ｆを備える。ＲＯＭ１３０ｅには、各種制御を行うためのプログラムが格納される。ＲＡＭ１３０ｆは、各種のデータを一時的に格納するためのメモリであり、Ｖ１〜Ｖ３の各変数が格納される。後述するように、変数Ｖ１〜Ｖ３は、それぞれ、レンズ通信の状態（通信成功、または通信失敗）、距離情報が有効か否か（距離エンコーダ２０３の有無）、および距離情報を表す。
【００２０】
図３に示すＬＣＤ駆動回路１１３は、カメラ制御回路１１２の命令に基づいてＬＣＤ１１４を駆動する回路である。ＬＣＤ１１４はたとえば液晶表示パネルであり、ＬＣＤ１１４には、再生モードにおいて、図示しないメモリカード等の記録媒体に記録されている画像ファイルに基づいてカメラ制御回路１１２で作成された画像データが表示される。また、ＬＣＤ１１４には、カメラ制御回路１１２で算出されたデフォーカス量に基づいて、合焦状況を表すフォーカスエイドマークＭＫが所定時間表示される。
【００２１】
図１１に、ＬＣＤ１１４に表示されるフォーカスエイドマークＭＫの一例を示す。フォーカスエイドマークＭＫは、焦点調節状態に応じて点灯する部位が異なる。すなわち、焦点調節状態が前ピン、合焦、後ピンの場合に、それぞれマークＭＫａ、ＭＫｂ、ＭＫｃが点灯する。なお、フォーカスエイドマークＭＫは、図１１に示すものに限らず、たとえば「○」であってもよい。この場合、「○」の点灯色が焦点調節状態（前ピン、合焦、後ピン）に応じて変更される。フォーカスエイドマークＭＫが表示される時間は、たとえば４．０秒または８．０秒であり、後述するようにカメラ１に装着された撮影レンズとの通信可否に応じて、ＣＰＵ１３０ａにより決定される。このフォーカスエイドマークＭＫの表示時間は、後で説明するように、ＣＰＵ１３０ａが操作部１２１から操作信号を入力するごとに延長される。
【００２２】
レンズ信号接点１０８は、レンズマウント１０９に装着される撮影レンズＬ１に設けられたカメラ信号接点２０６と各種信号の送受信を行うインタフェースである。レンズ信号接点１０８には、接点１３０〜１３４を含み、カメラ信号接点２０６の接点２６０〜２６４とそれぞれ接続される。接点１３０〜１３２、および１３４は、電源回路１１１から出力される電力を撮影レンズＬ１内のレンズ制御回路２０５へ供給するために用いられる。接点１３３は、ボディ１００と撮影レンズＬ１間で各種情報の送受信を行う際に用いられる。各種情報としては、たとえば、レンズ制御回路２０５から出力される撮影レンズの種類等を示す情報や距離エンコーダ２０３の有無を示す距離情報有効データが含まれるレンズデータ、レンズ群２００ａの位置を示す距離情報などがある。また、カメラ制御回路１１２は、レンズ群２００ａを駆動するための情報、すなわちデフォーカス量および移動指示を示す情報を接点１３３、２６３を介して、レンズマイコン２０５ｃへ送信する。
【００２３】
撮影レンズＬ１に設けられたレンズ電源回路２０５ａは、ボディ１００に設けられた電源回路１１１から出力される電力をレンズ制御回路２０５内の各部に供給する。レンズ駆動回路２０５ｂは、接点２６３を介してボディ１００から入力したデフォーカス量に基づいて、レンズ群２００ａの移動量を算出してレンズ駆動機構２０１へ出力する。レンズ駆動機構２０１は、入力した移動量に基づいてレンズ群２００ａを光軸方向へ移動する。レンズマイコン２０５ｃは、撮影レンズＬ１内の各部の動作を制御するとともに、カメラ信号接点２０６を介して、上述したようにボディ１００と各種情報の送受信を行う。
【００２４】
次に、本実施の形態におけるカメラ１の省電力状態を設定およびフォーカスエイドマークＭＫの表示動作について説明する。
電源がオンされると、カメラ制御マイコン１３０のＣＰＵ１３０ａは、シリアルインタフェース１３０ｂに指令して撮影レンズとの通信を開始させる。レンズマウント１０９に装着された撮影レンズが通信可能な場合、すなわちレンズ制御回路２０５を有する撮影レンズＬ１〜Ｌ３が装着され、通信が確立した場合、ＣＰＵ１３０ａは、ＲＡＭ１３０ｆの変数Ｖ１に１を格納する。通信が確立されない場合、すなわち撮影レンズが装着されていない場合、もしくはレンズ制御回路２０５（またはカメラ信号接点２０６）を備えていない撮影レンズＬ４が装着された場合は、ＣＰＵ１３０ａは、ＲＡＭ１３０ｆの変数Ｖ１に０を格納する。変数Ｖ１に格納される値は、図５（ａ）に示すように、１がレンズ通信成功を表し、０がレンズ通信失敗を表す。
【００２５】
通信が確立すると、ＣＰＵ１３０ａは、撮影レンズから入力されるレンズデータに距離情報有効データが含まれているか否かを判定する。距離情報有効データを入力した場合は、ＣＰＵ１３０ａは、距離エンコーダ２０３を備える撮影レンズＬ１またはＬ２が装着されたと判定する。そして、ＲＡＭ１３０ｆの変数Ｖ２に１を格納する。距離情報有効データを入力しない場合には、ＣＰＵ１３０ａは、距離エンコーダ２０３を備えていない撮影レンズＬ３が装着されたと判定して、ＲＡＭ１３０ｆの変数Ｖ２に０を格納する。変数Ｖ２に格納される値は、図５（ｂ）に示すように、１が距離情報有効を表し、０が距離情報無効を表す。
【００２６】
ＣＰＵ１３０ａは、撮影レンズから距離情報が入力されると、ＲＡＭ１３０ｆの変数Ｖ３に距離情報を示す値を格納する。レンズ群２００ａの位置が変化して、撮影レンズから異なる距離情報を入力するごとに、ＣＰＵ１３０ａは、ＲＡＭ１３０ｆの変数Ｖ３の値を、新たに入力した距離情報に応じた値に更新して格納する。図５（ｃ）に、変数Ｖ３に格納される値と距離情報との対応関係を示す。
【００２７】
ＣＰＵ１３０ａは、ＲＡＭ１３０ｆに格納された変数Ｖ１および変数Ｖ２の値がともに１の場合は、タイマ１３０ｄの設定時間が、たとえば４．０秒となるように、タイマレジスタの変数Ｔ１に２を設定する。また、ＣＰＵ１３０ａは、ＲＡＭ１３０ｆに格納された変数Ｖ１および変数Ｖ２のいずれか一方の値が０の場合は、タイマ１３０ｄの設定時間が、たとえば８．０秒となるように、タイマレジスタの変数Ｔ１に３を設定する。図５（ｄ）に、変数Ｔ１の値と設定時間との対応関係示す。また、図５（ｅ）には、変数Ｖ１、Ｖ２およびＴ１の対応関係を示す。
【００２８】
上述したようにしてタイマ１３０ｄの設定時間を設定した後、ユーザにより操作部１２１が操作されず、ＣＰＵ１３０ａが操作信号を入力しない状態で設定時間が経過すると、タイマ１３０ｄは停止する。そして、ＣＰＵ１３０ａは、タイマ１３０ｄの停止を判定すると、ＬＣＤ１１４の表示消灯を指示する消灯指示信号をシリアルインタフェース１３０ｃを介してＬＣＤ駆動回路１１３に出力する。そして、ＣＰＵ１３０ａは各部の動作を停止させてカメラ１を省電力状態に設定する。
【００２９】
また、上述したようにしてタイマ１３０ｄの設定時間を設定した後、設定時間が経過する前に、ユーザにより操作部１２１が操作され、ＣＰＵ１３０ａが操作信号を入力した場合は、ＣＰＵ１３０ａはタイマ１３０ｄをリセットして、再度時間計測を開始させる。すなわち、ユーザが操作部１２１を操作した場合には、ＣＰＵ１３０ａは省電力状態の設定をせずに、カメラ１の動作状態を継続させる。その結果、ＬＣＤ１１４におけるフォーカスエイドマークＭＫの表示時間が延長される。
【００３０】
ＲＡＭ１３０ｆの変数Ｖ１および変数Ｖ２の値が共に１の場合に、ＣＰＵ１３０ａが変数Ｖ３の値をタイマ１３０ｄの設定時間内に更新したときは、ＣＰＵ１３０ａはタイマ１３０ｄをリセットして、再度時間計測を開始させる。したがって、ユーザが操作部１２１を操作しない状態でレンズ群２００ａの位置が変化する、すなわちユーザが距離環２０７を用いて焦点状態を調節している場合には、ＣＰＵ１３０ａは、省電力状態の設定をせずに、カメラ１の動作状態を継続させる。その結果、ＬＣＤ１１４におけるフォーカスエイドマークＭＫの表示時間が延長される。
【００３１】
図６に示すフローチャートを参照しながら、省電力状態の設定処理およびフォーカスエイドマークＭＫの表示処理について説明する。図６の処理はカメラ制御マイコン１３０のＣＰＵ１３０ａでプログラムを実行して行われる。このプログラムは、ＲＯＭ１３０ｅに格納されており、電源がオンされると起動される。
【００３２】
ステップＳ１００においては、ＬＣＤ駆動回路１１３に指令してＬＣＤ１１４を点灯してステップＳ１１０へ進む。このとき、ＬＣＤ１１４が点灯していることを示すフラグｉを０に設定する。ステップＳ１１０では、タイマ１３０ｄをリセットしてステップＳ１２０へ進む。ステップＳ１２０においては、焦点検出用センサ１０６に指令して焦点調節状態を検出させてステップＳ１３０へ進む。ステップＳ１３０においては、撮影レンズとの通信開始制御を行って、ステップＳ１４０へ進む。
【００３３】
ステップＳ１４０においては、撮影レンズとの通信が確立されたか否かを判定する。撮影レンズＬ１〜Ｌ３が装着され、通信が確立された場合は、ステップＳ１４０が肯定判定されてステップＳ１５０へ進む。このとき、ＲＡＭ１３０ｆの変数Ｖ１に１を格納する。撮影レンズが装着されない、もしくは撮影レンズＬ４が装着され、通信が確立できない場合は、ステップＳ１４０が否定判定されて後述するステップＳ１９０へ進む。このとき、ＲＡＭ１３０ｆの変数Ｖ１に０を格納する。
【００３４】
ステップＳ１５０においては、受信したレンズデータに距離情報有効データが含まれているか否かを判定する。撮影レンズＬ１〜Ｌ２が装着されて、距離情報有効データを受信した場合には、ステップＳ１５０が肯定判定されてステップＳ１６０へ進む。このとき、ＲＡＭ１３０ｆの変数Ｖ２に１を格納する。撮影レンズＬ３が装着されて、距離情報有効データを受信しない場合は、ステップＳ１５０が否定判定されて後述するステップＳ１９０へ進む。このとき、ＲＡＭ１３０ｆの変数Ｖ２に０を格納する。
【００３５】
ステップＳ１６０においては、タイマ１３０ｄの設定時間を４．０秒、すなわちタイマレジスタの変数Ｔ１を２に設定してステップＳ１７０へ進む。ステップＳ１７０においては、ステップＳ１２０におけるレンズ通信で入力した距離情報が、ＲＡＭ１３０ｆに格納されている距離情報と異なるか否かを判定する。入力した距離情報がＲＡＭ１３０ｆに格納されている距離情報と異なる場合は、ステップＳ１７０が肯定判定されてステップＳ１８０へ進む。ステップＳ１８０では、タイマ１３０ｄをリセットして、再度時間計測を開始させて後述するステップＳ１８１へ進む。入力した距離情報がＲＡＭ１３０ｆに格納されている距離情報と同一の場合は、ステップＳ１７０が否定判定されて後述するステップＳ２００へ進む。
【００３６】
ステップＳ１４０において撮影レンズとの通信が確立しないか、ステップＳ１５０において距離情報有効データを受信しないと判定した場合はステップＳ１９０へ進み、タイマ１３０ｄの設定時間を８．０秒、すなわちタイマレジスタの変数Ｔ１を３に設定してステップＳ２００へ進む。ステップＳ２００においては、操作部１２１から操作信号を入力したか否かを判定する。操作信号を入力した場合は、ステップＳ２００が肯定判定されてステップＳ１８０へ進む。操作信号を入力しない場合は、ステップＳ２００が否定判定されてステップＳ２１０へ進む。
【００３７】
ステップＳ１８１においては、フラグｉが１であるか否かを判定する。フラグｉが１の場合、すなわちＬＣＤ１１４が消灯している場合は、ステップＳ１８１が肯定判定されてステップＳ１８２へ進む。フラグｉが０の場合、すなわちＬＣＤ１１４が点灯している場合は、ステップＳ１８１が否定判定され、ステップＳ１８２をスキップしてステップＳ２１０へ進む。ステップＳ１８２では、ＬＣＤ駆動回路１１３に指令してＬＣＤ１１４を点灯し、フラグｉを０に設定してステップＳ２１０へ進む。
【００３８】
ステップＳ２１０においては、ステップＳ１６０もしくはステップＳ１９０で設定した設定時間が経過して、タイマ１３０ｄが停止状態か否かを判定する。タイマ１３０ｄが停止状態の場合は、ステップＳ２１０が肯定判定されてステップＳ２２０へ進む。タイマ１３０ｄが停止状態ではない場合は、ステップＳ２１０が否定判定されて後述するステップＳ２４０へ進む。
【００３９】
ステップＳ２２０においては、ＬＣＤ駆動回路１１３に指令してＬＣＤ１１４の表示を消灯させ、フラグｉを１に設定してステップＳ２３０へ進む。ステップＳ２３０においては、カメラ１を省電力状態に設定してステップＳ１１０へ戻る。
【００４０】
ステップＳ２１０が否定されたときステップＳ２４０においては、ステップＳ１２０と同様にして、焦点検出用センサ１０６に指令して焦点調節状態を検出させてステップＳ２５０へ進む。ステップＳ２５０においては、ＬＣＤ駆動回路１１３に指令してＬＣＤ１１４に、ステップＳ２４０の検出結果に基づいた合焦状況を表す表示形態（フォーカスエイドマークＭＫ）を表示させてステップＳ１３０へ戻る。
【００４１】
以上で説明した第１の実施の形態のカメラによれば、以下の作用効果が得られる。
（１）ＣＰＵ１３０ａは、装着された撮影レンズの距離環２０７の操作に応じて出力される距離信号を入力するごとに、タイマ１３０ｄの設定時間をリセットして、ＬＣＤ１１４に表示する合焦状況を表す表示形態（フォーカスエイドマークＭＫ）の表示時間を延長するようにした。したがって、操作部１２１が操作されない場合であっても、ユーザにより撮影レンズの焦点調節操作が行われたことを検出した場合には省電力状態を設定する時間を延長し、焦点調節状態の検出およびフォーカスエイドマークＭＫの表示を継続できるので、手動で焦点調節を行っている最中の操作性が向上する。
【００４２】
（２）ＣＰＵ１３０ａは、ＲＡＭ１３０ｆに格納した変数Ｖ１および変数Ｖ２の値、すなわち装着された撮影レンズとの通信の確立の可否と、距離情報有効データとに基づいて、タイマ１３０ｄの設定時間を変更するようにした。この場合、撮影レンズＬ３〜Ｌ４が装着された場合のタイマ１３０ｄの設定時間を、撮影レンズＬ１〜Ｌ２が装着された場合よりも長く設定するようにした。したがって、撮影レンズＬ３〜Ｌ４のように撮影レンズから距離情報が入力されない場合であっても、省電力状態を設定するまでの時間が長くなるので、撮影レンズの機能上の相違によらず、手動による焦点調節時の操作性を損なうことを防ぐことができる。
【００４３】
−第２の実施の形態−
図２、図７〜図８を参照して、本発明によるカメラの第２の実施の形態を説明する。以下の説明では、第１の実施の形態と同じ構成要素には同じ符号を付して相違点を主に説明する。特に説明しない点については、第１の実施の形態と同じである。本実施の形態では、カメラ１のボディ１００内にレンズ駆動機構を備える点で、第１の実施の形態と異なる。
【００４４】
図７のカメラ１および撮影レンズＬ１の制御系のブロック図に示すように、ボディ１００には、レンズ駆動機構１５０が設けられている。レンズ駆動機構１５０は、カメラ制御回路１１２においてデフォーカス量から算出された移動量に基づいて、図示しないカップリング等で連接されたレンズ群２００ａを駆動する。その結果、図２（ｂ）および図２（ｃ）に示す撮影レンズＬ２およびＬ３が有するレンズ群２００ａをカメラ１側の制御または、ユーザによる距離環２０７の操作により移動させることができる。
【００４５】
図８に示すフローチャートを参照しながら、省電力状態の設定処理およびフォーカスエイドマークＭＫの表示処理について説明する。図８の処理はカメラ制御マイコン１３０のＣＰＵ１３０ａでプログラムを実行して行われる。このプログラムは、ＲＯＭ１３０ｅに格納されており、電源がオンされると起動される。
【００４６】
ステップＳ３００（ＬＣＤ表示）からステップＳ３８２（ＬＣＤ表示）までの各処理は、図６のステップＳ１００（ＬＣＤ表示）からステップＳ１８２（ＬＣＤ表示）までの各処理と同様の処理を行う。距離情報有効データを受信しない場合にはステップＳ３５０が否定判定されてステップＳ３６０へ進み、操作部１２１の操作によりオートフォーカスモードに設定されているか否かを判定する。オートフォーカスモードに設定されている場合は、ステップＳ３９０が肯定判定されてステップＳ４００へ進む。ステップＳ４００においては、ステップＳ３６０と同様に、タイマ１３０ｄの設定時間を４．０秒、すなわちタイマレジスタの変数Ｔ１を２に設定してステップＳ４２０へ進む。
【００４７】
マニュアルフォーカスモードに設定されている場合には、ステップＳ３９０が否定判定されてステップＳ４１０へ進む。ステップＳ４１０（タイマの設定時間を８．０秒に設定）からステップＳ４７０（ＬＣＤの表示更新）までの各処理は、図６のステップＳ１９０（タイマの設定時間を８．０秒に設定）からステップＳ２５０（ＬＣＤの表示更新）までの各処理と同様の処理を行う。
【００４８】
以上で説明した第２の実施の形態のカメラによれば、第１の実施の形態で得られた作用効果に加えて、以下の作用効果が得られる。
レンズ駆動機構２０１を備えていない撮影レンズＬ３が装着された場合に、オートフォーカスモードに設定されていればタイマ１３０ｄの設定時間を４．０秒に設定し、マニュアルフォーカスモードに設定されていれば設定時間を８．０秒に設定するようにした。したがって、撮影レンズの有する機能および使用方法に応じて設定時間を変更できるので、焦点調節時の操作性の向上に寄与する。
【００４９】
実施の形態で説明したカメラを、次のように変形できる。
（１）他の実施の形態１
ＣＰＵ１３０ａは、距離情報の変化と焦点検出用センサ１０６で検出した焦点調節状態を表すデフォーカス量とに基づいて、タイマ１３０ｄをリセットしてもよい。この場合、ＣＰＵ１３０ａは、デフォーカス量が所定の閾値以下と判定すると、タイマ１３０ｄをリセットすればよい。すなわち、デフォーカス量が所定の閾値よりも大きい場合は、タイマ１３０ｄのリセットを禁止すればよい。なお、閾値は予め所定の記録領域に記録されているものとする。
【００５０】
図９のフローチャートを参照して、上述の場合の処理を図６に示す第１の実施の形態における処理との相違点を主に説明する。
ステップＳ１７０において、入力した距離情報がＲＡＭ１３０ｆに格納されている距離情報と異なる場合には、ステップＳ１７０が肯定判定されてステップＳ５００へ進む。ステップＳ５００においては、検出されたデフォーカス量が所定の閾値よりも大きいか否かを判定する。デフォーカス量が所定の閾値よりも大きい場合は、ステップＳ５００が肯定判定されてステップＳ２００へ進む。デフォーカス量が所定の閾値以下の場合は、ステップＳ５００が否定判定されてステップＳ１８０へ進む。
【００５１】
上述した処理の結果、デフォーカス量が所定の閾値よりも大きいと判定された場合は、ＣＰＵ１３０ａは、タイマ１３０ｄの設定時間のリセットを禁止する。したがって、デフォーカス量が大きい場合は、ユーザが撮影レンズの距離環２０７を操作して焦点調節状態を微調整している可能性が低いため、ＣＰＵ１３０ａはタイマ１３０ｄをリセットしないようにしたので、撮影レンズの使用状態に応じた設定時間の変更が可能となり、手動による焦点調節時の操作性を向上できる。
【００５２】
（２）他の実施の形態２
ＣＰＵ１３０ａは、ユーザによる距離環２０７の操作方向が被写体像を合焦する方向（以下、合焦方向と呼ぶ）と一致しているか否かに基づいて、タイマ１３０ｄをリセットしてもよい。この場合、ＣＰＵ１３０ａは、入力した距離情報が、ＲＡＭ１３０ｆに格納されている距離情報と比較して、レンズ群２００ａの移動方向を判定する。また、ＣＰＵ１３０ａは、焦点検出用センサ１０６の出力に基づいて、レンズ群２００ａが前ピン、合焦、もしくは後ピンを判定し、レンズ群２００ａの合焦方向を判定する。そして、ＣＰＵ１３０ａは、レンズ群２００ａの移動方向と合焦方向とが一致していると判定すると、タイマ１３０ｄをリセットする。また、ＣＰＵ１３０ａは、レンズ群２００ａの移動方向と合焦方向とが一致しない場合には、タイマ１３０ｄの設定時間のリセットを禁止する。たとえば、レンズ群２００ａによる焦点調節状態が前ピンのとき、距離環２０７の操作により入力された距離情報が、たとえば２．０から１．０へ変化した場合に、ＣＰＵ１３０ａは、移動方向と合焦方向とが一致していると判定する。
【００５３】
図１０のフローチャートを参照して、上述の場合の処理を図６に示す第１の実施の形態における処理との相違点を主に説明する。
ステップＳ１７０において、入力した距離情報がＲＡＭ１３０ｆに格納されている距離情報と異なる場合には、ステップＳ１７０が肯定判定されてステップＳ６００へ進む。ステップＳ６００においては、レンズ群２００ａの移動方向と合焦方向とが一致しているか否かを判定する。移動方向と合焦方向とが一致している場合は、ステップＳ６００が肯定判定されてステップＳ１８０へ進む。移動方向と合焦方向とが一致していない場合は、ステップＳ６００が否定判定されてステップＳ２００へ進む。
【００５４】
上述した処理の結果、入力された距離情報に基づいて検出したレンズ群２００ａの移動方向と、焦点検出用センサ１０６により検出された焦点調節状態を修正すべき、すなわちデフォーカス量を所定値以下にすべきレンズ移動方向とが一致しない場合には、ＣＰＵ１３０ａはタイマ１３０ｄのリセットを禁止する。すなわち、合焦方向へレンズ群２００ａが移動していない場合は、ユーザが撮影レンズの距離環２０７を操作して焦点調節状態を微調整している可能性が低いため、ＣＰＵ１３０ａはタイマ１３０ｄをリセットしないようにした。その結果、撮影レンズの使用状態に応じた設定時間の変更が可能となり、手動による焦点調節時の操作性を向上できる。
【００５５】
（３）カメラ１は、撮像素子１０７を備える電子カメラに限定されず、フィルムカメラであってもよい。
【００５６】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５７】
【図１】本発明の実施の形態におけるカメラの要部構成を示す図であり、（ａ）は正面図、（ｂ）は縦断面図である。
【図２】実施の形態におけるカメラに装着可能な４種類の撮影レンズの構成を示す図である。
【図３】第１の実施の形態におけるカメラ、および装着された撮影レンズの制御系の構成を説明する図である。
【図４】カメラ内部に設けられたカメラ制御用マイコンの機能上の構成を示す図である。
【図５】ＲＡＭに格納される変数について説明する図である。
【図６】第１の実施の形態のカメラにおける処理を説明するフローチャートである。
【図７】第２の実施の形態におけるカメラ、および装着された撮影レンズの制御系の構成を説明する図である。
【図８】第２の実施の形態のカメラにおける処理を説明するフローチャートである。
【図９】他の実施の形態１のカメラにおける処理を説明するフローチャートである。
【図１０】他の実施の形態２のカメラにおける処理を説明するフローチャートである。
【図１１】フォーカスエイドマークの表示の一例を説明する図である。
【符号の説明】
【００５８】
１００・・・ボディ  １０６・・・焦点検出用センサ  １０７・・・撮像素子
１０８・・・レンズ信号接点  １１２・・・カメラ制御回路  １１４・・・ＬＣＤ
１３０・・・カメラ制御用マイコン  １３０ａ・・・ＣＰＵ  １３０ｄ・・・タイマ
【図１】
2009122593.tif 000003
【図２】
2009122593.tif 000004
【図３】
2009122593.tif 000005
【図４】
2009122593.tif 000006
【図５】
2009122593.tif 000007
【図６】
2009122593.tif 000008
【図７】
2009122593.tif 000009
【図８】
2009122593.tif 000010
【図９】
2009122593.tif 000011
【図１０】
2009122593.tif 000012
【図１１】
2009122593.tif 000013